(57)【要約】      （修正有）【課題】マットレス上で防水シートを固定や取り外しが簡単にできると共に、尿失禁等による汚れを防止することができる防水シート脱着式マットレスを提供する。【解決手段】患者が横たわるマットレス１１と、マットレス上の患者の少なくとも臀部周囲を被覆可能であり、防水機能を有する防水シート１２と、を備えた敷き道具１０であって、防水シートの左右側端部に配設した係止具の一方１５と、マットレスの左右両側面に配設した係止具の他方１４とを組み合わせてマットレス上に防水シートを被覆固定する防水シート連結機構１６を備える。防水シート連結機構は、ファスナー式の係止具、面ファスナー式の係止具、ボタン式の係止具又はフック式の係止具のいずれかで構成する。【選択図】図２
0003187446.tif 000002
【実用新案登録請求の範囲】
【請求項１】
患者が横たえるマットレスと、
マットレス上の患者の少なくとも臀部周囲を被覆可能であり、防水機能を有する防水シートと、を備えた敷き道具であって、
防水シートの左右側端部に配設した係止具の一方と、マットレスの左右両側面に配設した係止具の他方とを組み合わせることでマットレス上に防水シートを被覆して固定する防水シート連結機構を備えたことを特徴とする敷き道具。
【請求項２】
防水シートの左右端部には、防水シート連結機構を覆う蓋体を配設したことを特徴とする請求項１に記載の敷き道具。
【請求項３】
防水シート連結機構は、ファスナー式の係止具、面ファスナー式の係止具、ボタン式の係止具又はフック式の係止具のいずれかであることを特徴とする請求項１又は請求項２に記載の敷き道具。
【考案の詳細な説明】
【技術分野】
【０００１】
本考案は敷き道具、詳しくは、患者が横たえるマットレス上に被せる防水シートの固定機構に関する。
【背景技術】
【０００２】
従来、高齢者、被介護者または患者が体を横たえるベッド上にクッション性を備えたマットレスが種々用いられている。
【０００３】
これらマットレスでは、汚れないように薄手のシーツ等のカバーを被せて使用するのが一般的である。被せたカバーは、単にマットレス上に被せた状態で、端部等を固定してはいない。
【０００４】
特に、寝たきり患者等は、自分で用を足すことができないため、珠にベッド上で尿失禁や夜尿症を起こし、カバーのみならずマットレスまで尿で汚すケースが存在していた。
【０００５】
このため、マットレス上に被せるカバーに防水機能を持たせたものが考案されている。
具体例を示すならば、例えば、特許文献１にはマットレス上を被覆する防水機能を備えた防水シートなどが開示されている（例えば、特許文献１参照。）。
【先行技術文献】
【特許文献】
【０００６】
【特許文献１】特開２０１０−０８８７０１号公報
【考案の概要】
【考案が解決しようとする課題】
【０００７】
ところが、患者等はベッド上で無意識に暴れたり、また、寝返りをうったりしてその頻度も高い。
また、カバーが一旦ずれた状態になると、患者がその状態を嫌がり、さらに、所定箇所から大きく外れたり、マットレス上から脱落したりするケースが存在していた。
【０００８】
その結果、防水機能を備えたカバー等がマットレス上で固定されず、患者の臀部相当箇所からずれてしまい、結果的にマットレスを尿で汚してしまう問題が生じていた。
【０００９】
しかも、マットレス内のクッション材は厚手であり、通常の家庭用洗濯機で洗濯できないような構造であるため、マットレスを尿で汚してしまうと、その汚れを取るのに労力を多く費やし、完全に取り除くことが非常に困難であった。
【００１０】
本考案は、斯かる事情に鑑みてなされたものであって、マットレス上で防水シートを固定や取り外しが簡単にできると共に、尿失禁等による汚れを防止することができる敷き道具を提供する。
【課題を解決するための手段】
【００１１】
そこで、請求項１に記載の考案は、患者が横たえるマットレスと、マットレス上の患者の少なくとも臀部周囲を被覆可能であり、防水機能を有する防水シートと、を備えた敷き道具であって、防水シートの左右側端部に配設した係止具の一方と、マットレスの左右両側面に配設した係止具の他方とを組み合わせることでマットレス上に防水シートを被覆して固定する防水シート連結機構を備えたことを特徴とする敷き道具である。
【００１２】
請求項２に記載の考案は、防水シートの左右端部には、防水シート連結機構を覆う蓋体を配設したことを特徴とする請求項１に記載の敷き道具である。
【００１３】
請求項３に記載の考案は、防水シート連結機構は、ファスナー式の係止具、面ファスナー式の係止具、ボタン式の係止具又はフック式の係止具のいずれかであることを特徴とする請求項１又は請求項２に記載の敷き道具である。
【考案の効果】
【００１４】
請求項１に記載の考案によれば、防水シートの左右側端部に配設した係止具の一方（例えば雌型係止具）と、マットレスの左右両側面に配設した係止具の他方（例えば雄型係止具）とを組み合わせることでマットレス上に防水シートを被覆して固定するので、寝たきり患者等の少なくとも臀部周囲下方に防水シートを位置させて、その位置で固定できるので、マットレスの尿漏れ等による汚れを確実に防止できる効果を有する。
【００１５】
また、請求項１に記載の考案によれば、防水シート連結機構を配設しているので、防水シートを簡単に連結・取外しすることができ、交換も簡単に行える。しかも、防水シートを必要としないときには、通常のマットレスとして使用することができる。
【００１６】
請求項２に記載の考案によれば、蓋体で防水シート連結機構を被覆することができるので、防水シート連結機構が患者の尿で汚れるのを防止できると共に、防水シート連結機構を被覆して外観性を良くすることができる。また、ファスナー式の係止具を配設することでそのファスナーが剥き出し状態になるのを防ぐことができ、剥き出したファスナーで怪我等をするのを防止できる効果を有する。
【００１７】
請求項３に記載の考案によれば、防水シート連結機構は、ファスナー式の係止具、面ファスナー式の係止具、ボタン式の係止具又はフック式の係止具のいずれかであるので、防水シートの着脱が容易に行え、しかも、取付構造も通常の係止具を踏襲した構造にすることができる。
【図面の簡単な説明】
【００１８】
【図１】患者が横たえる敷き道具の構造を示す説明図である。
【図２】マットレスと防水シートとの構造を示す分解図である。（ａ）は、それらを分解した説明図であり、（ｂ）は、それらを組み合わせた説明図である。
【図３】マットレス及び防水シートを断面視した構造を示す断面図である。
【図４】ファスナー式の連結構造を示す説明図である。（ａ）は、防水シートを連結した連結機構の断面図であり、（ｂ）は、防水シートの不使用時の連結機構の断面図である。
【図５】面ファスナー式の連結構造を示す説明図である。
【図６】ボタン式の連結構造を示す説明図である。
【図７】防水シートを取外した構造を示す説明図である。
【考案を実施するための形態】
【００１９】
本考案にかかる敷き道具１０は、患者が横たえるマットレス１１と、マットレス１１上の患者の少なくとも臀部周囲を被覆可能であり、防水機能を有する防水シート１２と、を備えた敷き道具１０であって、防水シート１２の左右側端部に配設した係止具の一方と、マットレス１１の左右両側面に配設した係止具の他方とを組み合わせることでマットレス１１上に防水シート１２を被覆して固定する防水シート連結機構１６を備えたことを特徴とする。
【００２０】
また、本考案にかかる敷き道具１０は、防水シート１２の左右端部には、防水シート連結機構１６を覆う蓋体１７が配設されることを特徴とする。
【００２１】
さらに、本考案にかかる敷き道具１０は、防水シート連結機構は、ファスナー式の係止具、面ファスナー式の係止具、ボタン式の係止具又はフック式の係止具のいずれかであることを特徴とする。
【００２２】
以下、図面を参照しながら本実施形態における敷き道具１０を具体的に説明する。
【００２３】
〔全体構造〕
図１は、患者が横たえるベッドの構造を示す説明図である。マットレス１１上に本実施形態に係る防水シート１２を配置した説明図である。
【００２４】
本考案にかかる敷き道具１０は、図１に示すように、マットレス１１と、その被覆する防水シート１２を備える。
【００２５】
〔マットレスの構造〕
図２は、マットレスと防水シートとの構造を示す分解図であり、（ａ）は、それらを分解した説明図であり、（ｂ）は、それらを組み合わせた説明図である。
図３は、マットレス１１及び防水シート１２を断面視した構造を示す断面図である。
図４（ａ）は、防水シート１２使用時のマットレス１１上の防水シート連結機構１６を示す断面図であり、図４（ｂ）は、防水シート１２不使用時のマットレス１１上の連結機構を示す断面図である。
【００２６】
マットレス１１は、図４（ａ）に示すように、表面布２７と裏面布２８との２枚の布地を貼りあわせて、その内部にクッション材２９を挿入可能としている。本実施形態にかかる敷き道具１０は、クッション材２９の厚みは厚手のものにも薄手のものにも適用可能である。マットレス１１は、ベッドフレームに載置可能な大きさを有する。
【００２７】
また、本実施形態にかかる敷き道具１０は、マットレス１１は、一枚形態に限られず、３つ折り形態にも適用することが可能である。
【００２８】
さらに、マットレス１１は、図１及び図２に示すように、例えば一側方の短辺側側面に開閉機構３１を設けており、この開閉機構３１は通常のファスナー式の係止具で構成されており、ファスナーの開閉によって、その内部に充填しているクッション材２９を取り出し可能に構成している。
しかも、図２（ｂ）に示すように、袋形状を有してファスナー式の開閉機構３１の周囲を被覆するようにしている。
【００２９】
〔防水シートの構造〕
防水シート１２は、図２（ａ）及び図２（ｂ）に示すように、マットレス１１の一部、すなわち、少なくとも患者の臀部周囲下方を被覆可能な大きさを有する。
【００３０】
防水シート１２の材質は防水機能を備えるものであれば、その素材は限定されない。例えば、以下の素材を使用することができる。
【００３１】
防水シート１２は、例えば、２層構造を有するもので、その表面は、尿を吸水し、その吸水したものを拡散させると共に乾燥させる機能を備えた素材を使用するものであり、例えば、ポリエステル・綿を使用することができる。
【００３２】
防水シート１２の裏面は、吸水した尿をマットレス１１に漏らさないような遮水層を備えた素材を使用するものであり、例えば、ポリウレタンフィルムを使用することができる。
【００３３】
本実施形態では、防水シート１２は尿等を吸水するため、その吸水した尿等を洗浄可能な素材を適用するのが好ましい。
【００３４】
〔防水シート連結機構の構造１〕
図４（ａ）に示すように、マットレス１１は、その左右側面の中央に防水シート１２の端部を連結する防水シート連結機構１６を配設している。
【００３５】
防水シート連結機構１６は、図３に示すように、マットレス１１の左右側面の中央であって、水平に所定長さを有するファスナー式の係止具等が配設されている。
【００３６】
図４（ａ）に示すように、ファスナー式の係止具は、互いに噛み合うように構成された雄型エレメント１４（雄型係止具）と、第１雌型エレメント１３（雌型係止具）と、滑動させることでエレメント同士を噛み合わせるスライダー２２と、各エレメント１３，１４を保持するテープ材２６によって構成されている。
【００３７】
スライダー２２は、図４（ａ）及び図４（ｂ）に示すように、胴体２３と、その胴体２３上部に環状体２４を配設し、その環状体２４に引手２５を下方に吊設している。すなわち、スライダー２２の引手２５は、ファスナー線より下方に取り付けられている。
【００３８】
本実施形態では、図４（ａ）に示すように、下側に雄型エレメント１４を配置し、上側に第２雌型エレメント１５を配置している。スライダー２２は、雄型エレメント１４上に配置している。
【００３９】
図７は、防水シート１２を不使用時のマットレス１１の構造を説明する説明図である。
図７に示すように、防水シート１２を取り付けない場合には、雄型エレメント１４と第１雌型エレメント１３とが噛み合わされた状態で袋体３０内に配設しているため、ファスナーが外観上見えないようにしている。
【００４０】
袋体３０は、図４（ｂ）に示すように、裏面布２８端部を表面布２７端部よりも上方に延伸させると共に、その左右端部は逢着することで上部開口された袋形状を有するものである。
【００４１】
図７に示すように、スライダー２２と袋体３０左端部の縫製箇所との間には、所定間隔を有する空間Ｋが配設されている。この空間Ｋは、スライダー２２を摘まむことができるように設けたものである。
【００４２】
これに対して、図４（ａ）及び図４（ｂ）に示すように、防水シート１２の短辺側端部には、ファスナー式の第２雌型エレメント１５が配設されている。すなわち、第２雌型エレメント１５は、防水シート１２を構成する本体の両端部にテープ材２６を介して縫着されている。
【００４３】
また、図１に示すように、防水シート１２の短辺側両端部に蓋体１７を取り付けている。蓋体１７は、防水シート１２とは同素材または別素材により、長細く矩形状を有している。そして、蓋体１７は、図４（ａ）に示すように、その短辺側上端部を防水シート１２端部から所定距離を有した内方の位置であってその表面側に貼着され、下端部は自由端としている。
【００４４】
防水シート１２の第２雌型エレメント１５は、防水シート連結機構１６に配設した雄型エレメント１４に噛み合わせ可能としている。このようにして、防水シート１２をマットレス１１上に配置して連結可能である。
【００４５】
〔マットレス上への防水シートの固定方法〕
以下、マットレス１１上への防水シートの固定方法について説明する。
【００４６】
まず、マットレス１１上に、図２（ａ）に示すように、患者の臀部周囲の相当する箇所に防水シート１２を被せて配置させる。
【００４７】
また、雄型エレメント１４と第１雌型エレメント１３との噛み合わせ状態を、スライダー２２を用いて解除させる。
【００４８】
次いで、防水シート１２端部をマットレス１１の両側面中央に配設した雄型エレメント１４の位置と、防水シート１２の両端部に配設した第２雌型エレメント１５との位置を合わせる。
【００４９】
そして、ブルゾンのファスナーのように、第２雌型エレメント１５の端部をスライダー２２の胴体２３に挿通させた後、スライダー２２を一側方から他側方へスライドさせて噛み合わせる。
【００５０】
このようにして、図３に示すように、マットレス１１上で防水シート１２が被覆され固定される。すなわち、防水シート１２は、マットレス１１上で高齢者、要介護者又は患者等の少なくとも臀部周囲の下方を被覆するように配置固定される。
【００５１】
また、マットレス１１上で防水シート１２が固定できる構造とすることで、患者が暴れたり、寝返りをうったりしても、マットレス１１上で防水シート１２をその位置で固定することができる。
【００５２】
したがって、患者が尿失禁や夜尿を起こしても、その尿を防水シート１２で確実に吸水することができ、マットレス１１から尿による汚れを防止することができる。
【００５３】
また、本考案にかかる敷き道具１０は、蓋体１７を防水シート１２の端部側からその下方に配設しており、この蓋体１７は、防水シート連結機構１６全体を覆うようにしている。
【００５４】
このように、蓋体１７で防水シート連結機構１６を覆うので、ファスナー全体を隠すことができ、外観が良くなる。また、ファスナーの剥き出しを防ぐことができ、患者等がファスナーに触れて怪我するのを防止することができる。
【００５５】
防水シート１２の不使用時には、図４（ｂ）に示すように、シート側の第２雌型エレメント１５をマットレス１１側の雄型エレメント１４から取外し、この雄型エレメント１４にマットレス１１側の第１雌型エレメント１３に噛み合わせる。このように、図７に示すような、防水シートを取り付けない場合には、通常のマットレス１１として使用可能である。
【００５６】
〔防水シート連結機構の構造２〕
図５は、面ファスナー式の連結構造を示す説明図である。
上記防水シート連結機構１６は、ファスナー式の係止具を使用するものであったが、これに代えて面ファスナーの係止具を使用することができる。すなわち、図５に示すように、防水シート１２の端部側にパイル状面ファスナー１８を配置し、マットレス１１の左右側面にフック状面ファスナー１９を取り付ける。
【００５７】
そして、マットレス１１上に防水シート１２を被覆させ、その防水シート１２の短辺側端部にあるパイル状面ファスナー１８を、マットレス１１上のマットレス１１両側面にあるフック状面ファスナー１９を貼り合せる。
【００５８】
このようにして、マットレス１１上に防水シート１２を固定することができる。面ファスナーは、パイル状面ファスナー１８及びフック状面ファスナー１９とも剥がすことが可能であり、不使用時には剥がして、再度使用するときは新しい面ファスナーを貼着することができる。
【００５９】
〔防水シート連結機構の構造３〕
図６は、ボタン式の連結構造を示す説明図である。
上記防水シート連結機構１６は、面ファスナー式であったが、これに代えてボタン式の係止具を使用することができる。すなわち、図６に示すように、防水シート１２の端部側に凸型ボタン２０を配置し、マットレス１１の左右側面に凹型ボタン２１を配置している。
【００６０】
そして、マットレス１１上に防水シート１２を被覆させ、その防水シート１２の端部の凸型ボタン２０を、マットレス１１上のマットレス１１両側面にある凹型ボタン２１内に挿入することで貼り合せる。
【００６１】
このようにして、マットレス１１上に防水シート１２を固定することができる。ボタン式の係止具では、ファスナー式の係止具と同様に袋体３０を設けて不使用時には係止具を隠すような構造を適用することができる。
さらに、本実施形態における敷き道具１０は、ボタン式の係止具に代えて、フック式の係止具を使用することもできる。
【００６２】
上述してきたように、本実施形態に係る敷き道具１０によれば、マットレス１１を尿失禁等による汚れを防止することができるので、マットレス１１の衛生面を良くすることができる。
【００６３】
最後に、上述した各実施の形態の説明は本考案の一例であり、本考案は上述の実施の形態に限定されることはない。このため、上述した各実施の形態以外であっても、本考案に係る技術的思想を逸脱しない範囲であれば、設計等に応じて種々の変更が可能であることは勿論である。
【符号の説明】
【００６４】
１０  敷き道具
１１  マットレス
１２  防水シート
１３  第１雌型エレメント
１４  雄型エレメント（雄型係止具）
１５  第２雌型エレメント（雌型係止具）
１６  防水シート連結機構
１７  蓋体
１８  パイル状面ファスナー
１９  フック状面ファスナー
２０  凸型ボタン
２１  凹型ボタン
２２  スライダー
２３  胴体
２４  環状体
２５  引手
２６  テープ材
２７  表面布
２８  裏面布
２９  クッション材
３０  袋体
３１  開閉機構
【図１】
0003187446.tif 000003
【図２】
0003187446.tif 000004
【図３】
0003187446.tif 000005
【図４】
0003187446.tif 000006
【図５】
0003187446.tif 000007
【図６】
0003187446.tif 000008
【図７】
0003187446.tif 000009